(57)【要約】【課題】回路構成を複雑化することなく、カラーバースト信号が含まれないアナログ映像信号と、カラーバースト信号が重畳されたアナログコンポジット映像信号とを、１つのコンポジット映像出力端子から選択的に出力する。【解決手段】加算器１は、ディジタル輝度信号Ｙとカラーバースト信号Ｂが重畳されたディジタル色信号ＣＢとを加算してディジタル映像信号を出力する。セレクタ４は、ディジタル輝度信号及びディジタル映像信号を入力し、制御信号Ｓ５によりモノクロ映像信号出力が選択されると、ディジタル輝度信号を選択して出力し、制御信号Ｓ５によりカラー映像信号出力が選択されると、ディジタル映像信号を選択して出力する。セレクタ４の出力信号は、Ｄ／Ａコンバータ６によりアナログ信号に変換され、コンポジット映像出力端子７から出力される。【選択図】図１
2006128860.tif 000002
【特許請求の範囲】
【請求項１】
ディジタル輝度信号とカラーバースト信号が重畳されたディジタル色信号とを加算してディジタル映像信号を出力する加算器と、
前記ディジタル輝度信号及び前記ディジタル映像信号を入力し、制御信号によりモノクロ映像信号出力が選択されると、前記ディジタル輝度信号を選択して出力し、前記制御信号によりカラー映像信号出力が選択されると、前記ディジタル映像信号を選択して出力するセレクタと、
前記セレクタの出力信号をアナログ信号に変換して出力するディジタル／アナログコンバータと、
前記ディジタル／アナログコンバータの出力信号を外部に出力するコンポジット映像出力端子と、
を備えたことを特徴とする映像信号生成回路。
【請求項２】
ディジタル輝度信号とカラーバースト信号が重畳されたディジタル色信号とを加算してディジタル映像信号を出力する加算器と、
前記ディジタル色信号を入力し、前記ディジタル色信号の色信号量から前記ディジタル色信号がカラー映像信号又はモノクロ映像信号の何れであるかを判定して判定結果を出力する色信号量判定手段と、
前記ディジタル輝度信号及び前記ディジタル映像信号を入力し、前記判定結果がモノクロ映像信号のときには、前記ディジタル輝度信号を選択して出力し、前記判定結果がカラー映像信号のときには、前記ディジタル映像信号を選択して出力するセレクタと、
前記セレクタの出力信号をアナログ信号に変換して出力するディジタル／アナログコンバータと、
前記ディジタル／アナログコンバータの出力信号を外部に出力するコンポジット映像出力端子と、
を備えたことを特徴とする映像信号生成回路。
【請求項３】
前記色信号量判定手段は、
前記ディジタル色信号の色信号値を検出して検出結果を出力する検出手段と、
前記検出結果を閾値と比較し、前記検出結果が前記閾値よりも大きいときには、前記ディジタル色信号がカラー映像信号であるとの判定結果を出力し、前記検出結果が前記閾値よりも小さいときには、前記ディジタル色信号がモノクロ映像信号であるとの判定結果を出力する色信号量閾値判定手段と、
を有することを特徴とする請求項２記載の映像信号生成回路。
【発明の詳細な説明】
【技術分野】
【０００１】
本発明は、半導体集積回路等で構成され、アナログ映像信号であるコンポジット（composite、複合）映像信号を生成して出力する映像信号生成回路に関するものである。
【背景技術】
【０００２】
従来、映像信号生成回路に関連する技術として、例えば、次のような文献に記載されるものがあった。
【０００３】
【特許文献１】特開２００４−８０１３７号公報（カラーノイズ抑制機能付きループ型ディジタル映像伝送装置）
【０００４】
アナログ映像信号であるコンポジット映像信号ａｃ１、例えば、図２の波形図に示すように、輝度信号ｙ、色信号ｃ、及びカラーバースト信号ｂを１つの信号に重畳した映像信号である。図３は、図２のコンポジット映像信号ａｃに対応するモノクロ映像時のコンポジット映像信号ａｃ２の一例を示す波形図である。
【０００５】
例えば、ディジタルビデオエンコーダ等においては、ディジタル映像信号をアナログ映像信号に変換するための半導体集積回路の内部に映像信号生成回路が設けられ、コンポジット映像信号ａｃ１を生成してコンポジット映像出力端子より映像信号ａｃ１を出力する回路が知られている。
【０００６】
従来の映像信号生成回路では、例えば、ディジタル輝度信号Ｙを遅延回路により、色信号Ｃとのタイミング位相調整を行う。又、ディジタル色信号Ｃは、カラーバースト信号合成回路により、カラーバースト信号Ｂを重畳する。タイミング位相調整された輝度信号と、カラーバースト信号Ｂが重畳された色信号ＣＢとは、加算器により加算されてコンポジット映像信号が生成される。このコンポジット映像信号は、ディジタル／アナログコンバータ（以下、「Ｄ／Ａコンバータ」という。）によりアナログのコンポジット映像信号ａｃに変換され、１つのコンポジット映像出力端子より出力される。
【０００７】
コンポジット映像出力端子から出力されるアナログのコンポジット映像信号ａｃには、カラー映像信号（図２の信号ａｃ１）、或いはモノクロ映像信号（図３の信号ａｃ２）のどちらの場合でも、常にカラーバースト信号ｂが重畳されている。これは、コンポジット映像出力端子に接続されるコンポジット映像信号受信用のモニタ、レコーダ等の受信装置では、複合化された輝度信号ｙと色信号ｃとをカラーバースト信号ｂに基づいて信号分離（即ち、Ｙ／Ｃ分離処理）を行って受信処理を行うようになっているからである。
【発明の開示】
【発明が解決しようとする課題】
【０００８】
しかしながら、従来の映像信号生成回路では、コンポジット映像出力端子よりモノクロ映像信号（図３に信号ａｃ２）を出力する場合でも、カラーバースト信号ｂが常に重畳されているので、受信装置では、モノクロ映像信号（図３に信号ａｃ２）の場合においても、カラーバースト信号ｂに基づいてＹ／Ｃ分離処理を行う。そのため、クロスカラー妨害やドット妨害等の影響により、本来は色成分が存在しないモノクロ映像上において色ノイズ等が生じ、画質の悪化を招くという課題があった。
【０００９】
そこで、このような課題を解決する方法の１つとして、前記特許文献１に記載されたカラーノイズ抑制機能付きループ型ディジタル映像伝送装置の技術を利用することが考えられる。
【００１０】
このディジタル映像伝送装置では、例えば、カメラから映像符号化装置（前記映像信号生成回路に相当）にモノクロ映像信号を入力したときに、この映像符号化装置内のモノクロ検出回路で、モノクロ映像信号であることを検出し、この検出結果を通信装置と伝送路を介して指令装置に送信する。指令装置では、前記検出結果に基づきカラーバースト信号抑制命令信号を発し、通信装置と伝送路を介して受信側の映像復号装置へ伝送する。映像符号化装置で符号化された映像信号は、通信装置と伝送路を介して前記映像復号装置へ伝送される。映像復号化装置では、カラーバースト信号抑制命令信号を受信すると、この命令信号を用いてカラーバースト信号抑制回路により、受信した符号化された映像信号からカラーバースト信号を抑制して、色ノイズのないモノクロ映像信号を得るようにしている。
【００１１】
このような特許文献１の技術を用いて、前記モノクロ検出回路及び前記指令装置に相当する回路を、前記映像信号生成回路内に設けると共に、前記カラーバースト信号抑制回路を、コンポジット映像出力端子に接続される受信装置側に設ければ、この受信装置側においてモノクロ映像上における色ノイズを除去することが可能である。
【００１２】
しかし、このような構成では、映像信号生成回路内に、前記モノクロ検出回路及び前記指令装置に相当する回路を設けなければならないので、映像信号生成回路が複雑化するばかりか、コンポジット映像出力端子に接続される受信装置側に、前記カラーバースト信号抑制回路に相当する回路を設けなければならないので、使い勝手が悪く、不利不便であった。
【００１３】
本発明は、従来の課題を解決し、回路構成を複雑化することなく、カラーバースト信号が含まれないアナログの映像信号と、カラーバースト信号が重畳されたアナログのコンポジット映像信号とを、１つのコンポジット映像出力端子から選択的に出力することにより、使い勝手の良い映像信号生成回路を提供することを目的とする。
【課題を解決するための手段】
【００１４】
本発明の映像信号生成回路では、ディジタル輝度信号とカラーバースト信号が重畳されたディジタル色信号とを加算してディジタル映像信号を出力する加算器と、前記ディジタル輝度信号及び前記ディジタル映像信号を入力し、制御信号によりモノクロ映像信号出力が選択されると、前記ディジタル輝度信号を選択して出力し、前記制御信号によりカラー映像信号出力が選択されると、前記ディジタル映像信号を選択して出力するセレクタと、前記セレクタの出力信号をアナログ信号に変換して出力するＤ／Ａコンバータと、前記Ｄ／Ａコンバータの出力信号を外部に出力するコンポジット映像出力端子とを備えている。
【００１５】
又、他の発明の映像信号生成回路では、ディジタル輝度信号とカラーバースト信号が重畳されたディジタル色信号とを加算してディジタル映像信号を出力する加算器と、前記ディジタル色信号を入力し、前記ディジタル色信号の色信号量から前記ディジタル色信号がカラー映像信号又はモノクロ映像信号の何れであるかを判定して判定結果を出力する色信号量判定手段と、前記ディジタル輝度信号及び前記ディジタル映像信号を入力し、前記判定結果がモノクロ映像信号のときには、前記ディジタル輝度信号を選択して出力し、前記判定結果がカラー映像信号のときには、前記ディジタル映像信号を選択して出力するセレクタと、前記セレクタの出力信号をアナログ信号に変換して出力するＤ／Ａコンバータと、前記Ｄ／Ａコンバータの出力信号を外部に出力するコンポジット映像出力端子とを備えている。
【発明の効果】
【００１６】
請求項１に係る発明によれば、セレクタにより、モノクロ映像信号又はカラー映像信号のいずれか一方を選択して出力する構成であるので、回路構成が簡単であり、その上、コンポジット映像出力端子からモノクロ映像信号を出力する場合、映像信号からカラーバースト信号を重畳せずに、輝度信号のみを選択的に出力でき、出力側において色ノイズの発生を事前に防止できる。しかも、カラー映像の場合は、従来通りのコンポジット信号を選択的にコンポジット映像出力端子から出力できる。そのため、映像出力端子を２つに分けることなく、１つのコンポジット映像出力端子から、カラー映像信号又はモノクロ映像信号を選択的に出力でき、出力側における利便性を向上できる。
【００１７】
請求項２、３に係る発明によれば、請求項１に係る発明の効果に加えて、出力しようとする映像信号が、カラー映像信号か又はモノクロ映像信号かの判定を、色信号量判定手段を用いた色信号の有無により行うようにしたので、選択動作の自動選択が実現でき、外部からの信号選択の制御を省くことが可能となる。
【発明を実施するための最良の形態】
【００１８】
本発明の映像信号生成回路では、加算器と、セレクタと、Ｄ／Ａコンバータとを備えている。前記加算器は、ディジタル輝度信号とカラーバースト信号が重畳されたディジタル色信号とを加算してディジタル映像信号を出力する。セレクタは、前記ディジタル輝度信号及び前記ディジタル映像信号を入力し、制御信号によりモノクロ映像信号出力が選択されると、前記ディジタル輝度信号を選択して出力し、前記制御信号によりカラー映像信号出力が選択されると、前記ディジタル映像信号を選択して出力する。前記セレクタの出力信号は、Ｄ／Ａコンバータによりアナログ信号に変換され、コンポジット映像出力端子から出力される。
【実施例１】
【００１９】
（構成）
図１は、本発明の実施例１を示す映像信号生成回路の概略の構成図である。
この映像信号生成回路は、例えば、半導体集積回路で構成され、ディジタル化された輝度信号Ｙに対して色信号Ｃとのタイミング位相調整を行う複数段のフリップフロップ（以下、「ＦＦ」という。）等で構成された信号位相遅延手段１と、ディジタル化された色信号Ｃに対してカラーバースト信号Ｂを重畳するカラーバースト信号合成回路２とを有し、これらの信号位相遅延手段１及びカラーバースト信号合成回路２の出力端子に加算器３が接続されている。加算器３は、信号位相遅延手段１から出力される遅延された輝度信号と、カラーバースト信号合成回路２から出力されるカラーバースト信号Ｂが重畳された色信号ＣＢとを加算してディジタル化されたコンポジット映像信号を出力する回路であり、この出力端子にセレクタ４が接続されている。
【００２０】
セレクタ４は、例えば、論理“１”入力端子が信号位相遅延手段１の出力端子に接続され、論理“０”入力端子が加算器３の出力端子に接続され、セレクタ制御信号発生器５から出力される制御信号Ｓ５の例えば論理“１”により“１”入力端子の入力信号を選択して出力端子から出力し、論理“０”により“０”入力端子の入力信号を選択して出力端子から出力する回路であり、この回路の出力端子にＤ／Ａコンバータ６が接続されている。Ｄ／Ａコンバータ６は、セレクタ６から出力されるディジタル映像信号をアナログのコンポジット映像信号ａｃに変換する回路であり、この出力端子に１つのコンポジット映像出力端子７が接続されている。
【００２１】
図４は、図１中のカラーバスト信号合成回路２の一例を示す概略の構成図である。
このカラーバスト信号合成回路２は、色信号Ｃの内のｕ信号の高周波成分を除去するローパスフィルタ（以下、「ＬＰＦ」という。）２１と、色信号Ｃの内のｖ信号の高周波成分を除去するＬＰＦ２２と、カラーバースト信号ＣＢを発生するカラーバスト発生器２３と、サブキャリア（搬送波）を発生するサブキャリア発生器２４とを有している。ＬＰＦ２１及びカラーバースト発生器２３の出力端子には、合成器２５が接続され、更に、ＬＰＦ２２及びカラーバースト発生器２３の出力端子にも、合成器２６が接続されている。合成器２５は、ＬＰＦ２１の出力信号と、カラーバースト発生器２３から出力されるカラーバースト信号ＣＢとを合成する回路であり、この出力端子に混合器２７が接続されている。合成器２６は、ＬＰＦ２２の出力信号と、カラーバースト発生器２３から出力されるカラーバースト信号Ｂとを合成する回路であり、この出力端子に混合器２８が接続されている。
【００２２】
混合器２７は、合成器２５の出力信号と、サブキャリア発生器２４から出力されるサブキャリアとを混合する回路であり、この出力端子に加算器２９が接続されている。混合器２８は、合成器２６の出力信号と、サブキャリア発生器２４から出力されるサブキャリアとを混合する回路であり、この出力端子に加算器２９が接続されている。加算器２９は、混合器２７，２８の出力信号を加算して色信号ＣＢを出力する回路である。
【００２３】
図５は、図１中のセレクタ制御信号発生器５の一例を示す概略の構成図である。
このセレクタ制御信号発生器５は、外部から与えられるカラー・モノクロ指令信号等の外部信号ＯＳのインタフェースをとるシリアルインタフェース回路５１を有し、この出力端子にＦＦ等で構成されたラッチ回路５２が接続されている。ラッチ回路５２は、シリアルインタフェース回路５１の出力信号を保持して制御信号Ｓ５を出力する回路である。
【００２４】
図６は、図１のコンポジット映像出力端子７に接続される受信装置内に設けられるＹ／Ｃ分離処理回路の一例を示す概略の構成図である。
【００２５】
このＹ／Ｃ分離処理回路８０は、入力されるアナログのコンポジット映像信号ａｃをディジタル信号に変換するＡ／Ｄコンバータ８１を有し、この出力端子に２つの１Ｈ遅延回路８２，８３が縦続接続されている。各１Ｈ遅延回路８２，８３は、Ａ／Ｄコンバータ８１の出力信号を１水平ラインずつ遅延する回路であり、これらの各出力端子にライン相関判定回路８４及びコムフィルタ（くし形フィルタ）８５が接続されている。ライン相関判定回路８４は、Ａ／Ｄコンバータ８１、１Ｈ遅延回路８２、及び１Ｈ遅延回路８３の３つの出力信号から水平ライン間の相関を判定する回路である。コムフィルタ８５は、Ａ／Ｄコンバータ８１、１Ｈ遅延回路８２、及び１Ｈ遅延回路８３の３つの出力信号を入力し、ライン相関判定回路８４の判定結果に基づき、輝度信号Ｙ及び色信号Ｃを分離して出力する回路である。これらの輝度信号Ｙ及び色信号Ｃに基づき、例えば、受信映像をモニタ画面に表示する等の処理が行われる。
【００２６】
（動作）
図７は、カラーバースト信号を重畳しないモノクロ映像のコンポジット映像信号ａｃ３の一例を示す波形図である。
【００２７】
図１の映像信号生成回路において、ディジタル化された輝度信号Ｙ及び色信号Ｃが入力されると、輝度信号Ｙは、信号位相遅延手段１により所定時間遅延され、色信号Ｃとのタイミングの位相調整がされ、加算器３及びセレクタ４へ送られる。一方、入力された色信号Ｃ中のｕ信号及びｖ信号は、図４のカラーバスト信号合成回路２において、該ｕ信号及びｖ信号の高周波成分がＬＰＦ２１，２２によりそれぞれ除去される。高周波成分が除去されたｕ信号及びｖ信号は、合成器２５，２６により、カラーバースト発生器２３から出力されたカラーバースト信号Ｂとそれぞれ合成され、混合器２７，２８により、サブキャリア発生器２４から出力されたサブキャリアとそれぞれ混合された後、加算器２９により加算され、カラーバースト信号Ｂが重畳された色信号ＣＢが出力される。加算器２９から出力された色信号ＣＢは、図１の加算器３により、信号位相遅延手段１から出力された輝度信号と加算され、セレクタ４へ送られる。
【００２８】
図５のセレクタ制御信号発生器５において、例えば、入力された外部信号ＯＳがカラー映像出力指令“０”であったとすると、ラッチ回路５２から出力される制御信号Ｓ５により、セレクタ４の入力が“０”入力端子側に切り替わり、加算器３の出力信号が選択されて該加算器３の出力端子から出力され、Ｄ／Ａコンバータ６により、図２のようなアナログのコンポジット映像信号ａｃ１に変換され、出力端子７から出力される。又、外部信号ＯＳがモノクロ映像出力指令“１”であったとすると、ラッチ回路５２から出力される制御信号Ｓ５により、セレクタ４の入力が“１”入力端子側に切り替わり、信号位相遅延手段１の出力信号が選択されて該加算器３の出力端子から出力され、Ｄ／Ａコンバータ６により、図７のようなアナログのコンポジット映像信号ａｃ３に変換され、出力端子７から出力される。
【００２９】
出力端子から出力されたコンポジット信号ａｃ１又はａｃ３は、例えば、受信装置内に設けられた図６のＹ／Ｃ分離処理回路８０により、ディジタル信号に変換され、輝度信号Ｙと色信号Ｃに分離された後、受信映像がモニタ画面に表示等される。
【００３０】
（効果等）
（１）  本実施例１によれば、セレクタ４により、モノクロ映像信号又はカラー映像信号のいずれか一方を選択して出力する構成であるので、回路構成が簡単であり、その上、出力端子７からモノクロ映像信号を出力する場合、映像信号からカラーバースト信号ＣＢを重畳せずに、輝度信号Ｙのみを選択的に出力でき、受信装置側において色ノイズの発生を事前に防止できる。又、カラー映像の場合は、従来通りのコンポジット信号ａｃ１を選択的に出力端子７から出力できる。そのため、映像出力端子を２つに分けることなく、１つのコンポジット映像出力端子７から、カラー映像信号又はモノクロ映像信号を選択的に出力でき、受信装置側における利便性を向上できる。
【００３１】
（２）  なお、図１の映像信号生成回路は、半導体集積回路で構成する他に、個別回路で構成しても良い。又、図４のカラーバースト信号合成回路２や図５のセレクタ制御信号発生器５、或いは図６のＹ／Ｃ分離処理回路８０は、他の回路構成にしても良い。
【実施例２】
【００３２】
（構成）
図８は、本発明の実施例２を示す映像信号生成回路の概略の構成図であり、実施例１を示す図１中の要素と共通の要素には共通の符号が付されている。
【００３３】
この実施例２の映像信号生成回路では、実施例１のセレクタ制御信号発生器５に代えて、色信号量判定手段５Ａを設けた点のみが異なり、他の構成は実施例１と同様である。色信号量判定手段５Ａは、カラーバースト信号Ｂが重畳された色信号ＣＢの振幅値等から、この色信号ＣＢに色成分が有る（即ち、カラー映像信号）か、無い或いは閾値よりも小さい（即ち、モノクロ映像信号）かを判定し、判定結果である制御信号Ｓ５（モノクロ映像信号のときは“１”、カラー映像信号のときは“０”）を出力し、セレクタ４の入力を切り替えるものである。
【００３４】
図９は、図８中の色信号量判定手段５Ａの一例を示す概略の構成図である。
この色信号量判定手段５Ａは、入力される色信号ＣＢの振幅値等から色信号値を検出する色信号値検出手段５３を有し、この出力端子に色信号量閾値判定手段５４が接続されている。色信号量閾値判定手段５４は、検出された色信号値が所定の閾値よりも大きいか、小さいかを判定してこの判定結果に応じた制御信号Ｓ５を出力するものである。
【００３５】
（動作）
実施例１と同様に、ディジタル輝度信号Ｙは、信号位相遅延手段１により、色信号Ｃとのタイミングの位相調整が行われ、加算器３及びセレクタ４へ送られる。ディジタル色信号Ｃは、カラーバースト信号合成回路２により、カラーバースト信号ＣＢが重畳され、このカラーバースト信号Ｂが重畳された色信号ＣＢが加算器３及び色信号量判定手段５Ａへ送られる。
【００３６】
色信号量判定手段５Ａでは、色信号ＣＢに色成分が有るか無いかを判定し、色成分が有る（つまりカラー映像信号）と判定したときには、“０”の制御信号Ｓ５を出力し、色成分が無い、或いは閾値よりも小さい（つまりモノクロ映像信号）と判定したときには、“１”の制御信号Ｓ５を出力する。
【００３７】
色信号判定手段５Ａから“１”の制御信号Ｓ５が出力された場合（即ち、モノクロ映像の場合）、セレクタ４は、信号位相遅延手段１の出力信号を選択して出力する。この出力信号は、カラーバースト信号Ｂが重畳されていない輝度信号であり、これがＤ／Ａコンバータ６によりアナログに変換され、コンポジット映像出力端子７から、カラーバースト信号ｂが重畳されていない図７のような輝度信号ｙのみのモノクロ映像信号ａｃ３が出力される。
【００３８】
一方、色信号判定手段５Ａから“０”の制御信号Ｓ５が出力された場合（即ち、カラー映像の場合）、セレクタ４は、加算器３の出力信号を選択して出力する。この出力信号は、従来通りのカラーバースト信号Ｂが重畳された色信号ＣＢあり、これがＤ／Ａコンバータ６によりアナログに変換され、コンポジット映像出力端子７から、カラーバースト信号Ｂが重畳された図２のようなカラー映像信号（ａｃ１）が出力される。
【００３９】
（効果等）
（１）  本実施例２によれば、実施例１の効果に加えて、出力しようとする映像信号が、カラー映像信号か又はモノクロ映像信号かの判定を、色信号量判定手段５Ａを用いた色信号Ｃの有無により行うようにしたので、選択動作の自動選択が実現でき、外部からの信号選択の制御を省くことが可能となる。
【００４０】
（２）  なお、図８の映像信号生成回路は、半導体集積回路で構成する他に、個別回路で構成しても良い。又、図９の色信号量判定手段５Ａは、他の回路構成にしても良い。
【実施例３】
【００４１】
図１０は、本発明の実施例３を示す映像信号生成回路の全体の構成図である。
この映像信号生成回路１００は、図１或いは図８の回路で構成され、出力端子としてコンポジット映像出力端子７の他に、受像装置側の要求や使い勝手等を考慮し、必要に応じて、例えば、Ｓ−ビデオ映像（輝度信号）出力端子１０１や、Ｓ−ビデオ映像（色信号）出力端子１０２を設けても良い。出力端子１０１は、図示しないＡ／Ｄコンバータを介して信号位相遅延手段１の出力端子に接続され、出力端子１０２は、図示しないＡ／Ｄコンバータを介してカラーバースト信号合成回路２の出力端子に接続され、カラー映像出力時の波形１０３又はモノクロ映像出力時の波形１０４の信号を出力する。
【図面の簡単な説明】
【００４２】
【図１】本発明の実施例１を示す映像信号生成回路の概略の構成図である。
【図２】アナログ映像信号であるコンポジット映像信号ａｃ１の波形図である。
【図３】図２のコンポジット映像信号ａｃ１に対応するモノクロ映像時のコンポジット映像信号ａｃ２を示す波形図である。
【図４】図１中のカラーバスト信号合成回路２を示す概略の構成図である。
【図５】図１中のセレクタ制御信号発生器５を示す概略の構成図である。
【図６】受信装置内に設けられるＹ／Ｃ分離処理回路を示す概略の構成図である。
【図７】カラーバースト信号を重畳しないモノクロ映像のコンポジット映像信号ａｃ３を示す波形図である。
【図８】本発明の実施例２を示す映像信号生成回路の概略の構成図である。
【図９】図８中の色信号量判定手段を示す概略の構成図である。
【図１０】本発明の実施例３を示す映像信号生成回路の全体の構成図である。
【符号の説明】
【００４３】
１      信号位相遅延手段
２      カラーバースト信号合成回路
３      加算器
４      セレクタ
５      セレクタ制御信号発生器
５Ａ    色信号量判定手段
６      Ｄ／Ａコンバータ
７      コンポジット映像出力端子
５３    色信号値検出手段
５４    色信号量閾値判定手段
１００  映像信号生成回路
【図１】
2006128860.tif 000003
【図２】
2006128860.tif 000004
【図３】
2006128860.tif 000005
【図４】
2006128860.tif 000006
【図５】
2006128860.tif 000007
【図６】
2006128860.tif 000008
【図７】
2006128860.tif 000009
【図８】
2006128860.tif 000010
【図９】
2006128860.tif 000011
【図１０】
2006128860.tif 000012